(57)【要約】      （修正有）【課題】患者の皮膚から湾曲針を抜いた後において、伸縮部を伸長状態のまま維持し続けることが可能な医療用針を提供する。【解決手段】湾曲針１０と、基部２０と、パンタグラフ状に伸縮可能に構成された伸縮部３０と、板状部材６０とを備える医療用針１。伸縮部３０は、湾曲針１０を間にして対向配置された第１及び第２伸縮部材３２，３６と、第１及び第２伸縮部材３２，３６に配置されたフック部４０と、第１及び第２伸縮部材３２，３６に配置され、第１及び第２伸縮部材３２，３６が伸長した状態のときにフック部４０が係止される切り欠き部４２と、切り欠き部４２の近傍に配置され、フック部４０が切り欠き部４２に係止されるときにフック部４０を切り欠き部４２に向けて押さえる機能を有する押さえ部材４６とを有する。【選択図】図１
2010125173.tif 000002
【特許請求の範囲】
【請求項１】
所定角度に湾曲した湾曲部（１４）を有する湾曲針（１０）と、
前記湾曲針（１０）の一部が植設された基部（２０）と、
前記基部（２０）に設けられ、前記湾曲部（１４）から前記湾曲針の先端部（１６）に沿った第１（ｚ）方向に伸縮可能に構成された伸縮部（３０）と、
前記伸縮部（３０）における前記基部（２０）とは反対側に接続配置され、前記湾曲針（１０）を通過させる通過部（６２）を有する板状部材（６０）とを備え、
前記伸縮部（３０）は、
前記伸縮部（３０）を最も伸ばしたときの前記第１（ｚ）方向に沿った長さが、前記湾曲針の先端部（１６）から前記湾曲部（１４）までの長さ以上となるように構成された伸縮部材であり、さらに、
パンタグラフ状に伸縮可能であって、前記湾曲針（１０）を間にして対向配置された第１伸縮部材（３２）及び第２伸縮部材（３６）と、
前記第１及び第２伸縮部材（３２，３６）のうち一方側に配置されたフック部（４０）と、
前記第１及び第２伸縮部材（３２，３６）のうち他方側に配置され、前記第１及び第２伸縮部材（３２，３６）が伸長した状態のときに前記フック部（４０）が係止される切り欠き部（４２）と、
前記切り欠き部（４２）の近傍に配置され、前記フック部（４０）が前記切り欠き部（４２）に係止されるときに前記フック部（４０）を前記切り欠き部（４２）に向けて押さえる機能を有する押さえ部材（４６）とを有することを特徴とする医療用針（１）。
【請求項２】
請求項１に記載の医療用針において、
前記切り欠き部（４２）は、前記基部（２０）側に位置する第１開口端（４３）と、前記板状部材（６０）側に位置する第２開口端（４４）と、前記第１開口端（４３）及び前記第２開口端（４４）を繋ぐ第３開口端（４５）とを有し、
前記押さえ部材（４６）は、一方端（４７）が前記第１開口端（４３）近傍位置に接続され、他方端（４８）が前記第１開口端（４３）から前記第２開口端（４４）方向に向けて伸びるツメ状の押さえ部材であって、前記他方端（４８）と前記第２開口端（４４）との間に所定の空間（Ｐ）が形成されるように構成されていることを特徴とする医療用針（１）。
【請求項３】
請求項１又は２に記載の医療用針において、
前記湾曲針における基端部（１２）側の部分から前記湾曲部（１４）に沿った方向と同一方向を第２（ｙ）方向としたとき、
前記フック部（４０，５０）、前記切り欠き部（４２，５２）及び前記押さえ部材（４６，５６）のそれぞれは、前記第１及び第２伸縮部材（３２，３６）における前記第２（ｙ）方向手前側の面及び前記第２（ｙ）方向奥側の面の両面に配置されていることを特徴とする医療用針（１）。
【請求項４】
請求項１〜３のいずれかに記載の医療用針において、
前記基部（２０）に設けられ、前記基部（２０）を中心軸として回動可能に構成された翼部（１７０）をさらに備え、
前記翼部（１７０）は、前記第１及び第２伸縮部材（３２，３６）が折り畳まれた状態のときに前記フック部（４０，５０）が係止される被係止部（１７５，１７６）を有し、
前記被係止部（１７５，１７６）は、
前記翼部（１７０）のうち、前記第１及び第２伸縮部材（３２，３６）が折り畳まれた状態のときにおける、前記フック部（４０，５０）の位置に対応する位置に配置され、かつ、
前記翼部（１７０）を回動させることにより前記フック部（４０，５０）との係合状態を解除可能に構成されていることを特徴とする医療用針（２）。
【請求項５】
請求項１〜３のいずれかに記載の医療用針において、
前記基部（２０）に設けられた翼部（７０）と、
前記伸縮部（３０）が折り畳まれた状態で前記翼部（７０）及び前記板状部材（６０）を押さえるとともに、前記湾曲針（１０）を覆う針カバー部材（８０）とをさらに備え、
前記針カバー部材（８０）には、前記第１及び第２伸縮部材（３２，３６）が折り畳まれた状態のときにおける、前記フック部（４０）及び前記押さえ部材（４６）のうち少なくとも一方の位置に対応する位置に、所定のクリアランスが設けられていることを特徴とする医療用針（１）。
【発明の詳細な説明】
【技術分野】
【０００１】
本発明は、医療用針に関する。
【背景技術】
【０００２】
皮下埋込式カテーテルアクセスポートに穿刺するための針として、従来、所定角度（例えば９０度）に湾曲した湾曲部を有する湾曲針と、パンタグラフのように伸縮する伸縮部と、湾曲針を通過させる通過部を有する板状部材とを備える医療用針が知られている（例えば、特許文献１及び２参照。）。伸縮部の一端は、湾曲針の基端部側に設けられた基部と接続されており、伸縮部の他端は、板状部材と接続されている。
【０００３】
従来の医療用針によれば、上記した伸縮部を備えているため、患者の皮膚（アクセスポート）から湾曲針を抜いたときに、湾曲針（の先端部）を伸縮部によってカバーすることができる。このため、医療用針を使用する者（医療従事者及び患者本人を含む。以下、使用者という。）が誤って使用後の医療用針を自分に刺してしまう事故（いわゆる誤刺）の発生を防止することができる。
また、従来の医療用針によれば、上記した板状部材を備えているため、患者の皮膚から湾曲針を抜く際、板状部材の上面（患者の皮膚に接しない方の面）を上から押さえることにより、比較的スムーズに湾曲針を抜くことができる。
【０００４】
【特許文献１】特開２００２−３６９８８４号公報
【特許文献２】特開２００６−６１３７９号公報
【発明の開示】
【発明が解決しようとする課題】
【０００５】
ところで、患者の皮膚から湾曲針を抜いた後において、伸縮部を伸長させた状態（以下、「伸長状態」ということもある。）のまま維持し続けたいという要望が、近年高まりつつある。なぜなら、使用者の意図しないときに伸縮部の伸長状態が解除されてしまうと、湾曲針の先端部が伸縮部（板状部材）から露出してしまう場合があるからである。湾曲針の先端部が伸縮部（板状部材）から露出してしまうと、誤刺が発生しかねない。
【０００６】
そこで、本発明は、このような事情に鑑みてなされたもので、患者の皮膚から湾曲針を抜いた後において、伸縮部を伸長状態のまま維持し続けることが可能な医療用針を提供することを目的とする。
【課題を解決するための手段】
【０００７】
［１］本発明の医療用針は、所定角度に湾曲した湾曲部（１４）を有する湾曲針（１０）と、前記湾曲針（１０）の一部が植設された基部（２０）と、前記基部（２０）に設けられ、前記湾曲部（１４）から前記湾曲針の先端部（１６）に沿った第１（ｚ）方向に伸縮可能に構成された伸縮部（３０）と、前記伸縮部（３０）における前記基部（２０）とは反対側に接続配置され、前記湾曲針（１０）を通過させる通過部（６２）を有する板状部材（６０）とを備え、前記伸縮部（３０）は、前記伸縮部（３０）を最も伸ばしたときの前記第１（ｚ）方向に沿った長さが、前記湾曲針の先端部（１６）から前記湾曲部（１４）までの長さ以上となるように構成された伸縮部材であり、さらに、パンタグラフ状に伸縮可能であって、前記湾曲針（１０）を間にして対向配置された第１伸縮部材（３２）及び第２伸縮部材（３６）と、前記第１及び第２伸縮部材（３２，３６）のうち一方側に配置されたフック部（４０）と、前記第１及び第２伸縮部材（３２，３６）のうち他方側に配置され、前記第１及び第２伸縮部材（３２，３６）が伸長した状態のときに前記フック部（４０）が係止される切り欠き部（４２）と、前記切り欠き部（４２）の近傍に配置され、前記フック部（４０）が前記切り欠き部（４２）に係止されるときに前記フック部（４０）を前記切り欠き部（４２）に向けて押さえる機能を有する押さえ部材（４６）とを有することを特徴とする。
【０００８】
このため、本発明の医療用針によれば、上記したフック部及び切り欠き部を備えているため、第１及び第２伸縮部材を伸長状態にして切り欠き部にフック部を係止することにより、第１及び第２伸縮部材の伸長状態を維持し続けることが可能となる。
したがって、本発明の医療用針は、患者の皮膚から湾曲針を抜いた後において、伸縮部（第１及び第２伸縮部材）を伸長状態のまま維持し続けることが可能な医療用針となる。
【０００９】
また、本発明の医療用針によれば、上記した押さえ部材を備えているため、フック部と切り欠き部との係合力をさらに高めることが可能となる。このため、第１及び第２伸縮部材の伸長状態を、より強い係合力でもって維持し続けることが可能となる。
【００１０】
また、本発明の医療用針によれば、フック部と切り欠き部と押さえ部材とによる比較的簡易な部材で構成されているため、製造コストがそれほど高くなることもない。
【００１１】
また、本発明の医療用針によれば、第１及び第２伸縮部材を最も伸ばしたときの第１方向に沿った長さが、湾曲針の先端部から湾曲部までの長さ以上となるように構成されているため、患者の皮膚（アクセスポート）から湾曲針を抜いたときに、湾曲針（の先端部）を伸縮部によってカバーすることができる。このため、使用者による誤刺の発生を防止することができる。
【００１２】
［２］上記［１］に記載の医療用針においては、前記切り欠き部（４２）は、前記基部（２０）側に位置する第１開口端（４３）と、前記板状部材（６０）側に位置する第２開口端（４４）と、前記第１開口端（４３）及び前記第２開口端（４４）を繋ぐ第３開口端（４５）とを有し、前記押さえ部材（４６）は、一方端（４７）が前記第１開口端（４３）近傍位置に接続され、他方端（４８）が前記第１開口端（４３）から前記第２開口端（４４）方向に向けて伸びるツメ状の押さえ部材であって、前記他方端（４８）と前記第２開口端（４４）との間に所定の空間（Ｐ）が形成されるように構成されていることが好ましい。
【００１３】
このように構成することにより、ツメ状の押さえ部材の他方端と切り欠き部の第２開口端との間に所定の空間が形成されるため、当該空間が形成されない場合（すなわち、押さえ部材の両端が切り欠き部の開口端近傍位置と接続されている場合）と比べて、スムーズにフック部を切り欠き部に係合させることが可能となる。
【００１４】
また、上記のように構成することにより、第１及び第２伸縮部材が伸長状態のときに基部の上方（第１方向に沿った方向）から力が加わった場合に、フック部の端面が第１開口端とぶつかるため、フック部が切り欠き部から外れ難くなる。このときさらに、ツメ状の押さえ部材の他方端が第１開口端から第２開口端方向に向けて伸びるように構成されていることから、フック部が切り欠き部から外れようとするのをさらに抑制することが可能となる。その結果、第１及び第２伸縮部材の伸長状態を、さらに強い係合力でもって維持し続けることが可能となる。
【００１５】
［３］上記［１］又は［２］に記載の医療用針においては、前記湾曲針における基端部（１２）側の部分から前記湾曲部（１４）に沿った方向と同一方向を第２（ｙ）方向としたとき、前記フック部（４０，５０）、前記切り欠き部（４２，５２）及び前記押さえ部材（４６，５６）のそれぞれは、前記第１及び第２伸縮部材（３２，３６）における前記第２（ｙ）方向手前側の面及び前記第２（ｙ）方向奥側の面の両面に配置されていることが好ましい。
【００１６】
このように構成することにより、第１及び第２伸縮部材における第２方向手前側及び奥側の両方からフック部と切り欠き部とで係合させ、かつ、押さえ部材で係合力を高めていることから、第１及び第２伸縮部材の伸長状態を、さらに強い係合力でもって維持し続けることが可能となる。
【００１７】
なお、フック部、切り欠き部及び押さえ部材のそれぞれが、第１及び第２伸縮部材における第２方向手前側の面及び第２方向奥側の面の両面に配置されている場合は、（Ａ）第１伸縮部材における第２方向手前側の面及び奥側の面の両方に切り欠き部及び押さえ部材が配置され、第２伸縮部材における第２方向手前側の面及び奥側の面の両方にフック部が配置されていてもよいし、（Ｂ）第２伸縮部材における第２方向手前側の面に第１のフック部が配置され、第１伸縮部材における第２方向手前側の面に第１のフック部に対応する第１の切り欠き部及び第１の押さえ部材が配置され、第１伸縮部材における第２方向奥側の面に第２のフック部が配置され、第２伸縮部材における第２方向奥側の面に第２のフック部に対応する第２の切り欠き部及び第２の押さえ部材が配置されていてもよい。
【００１８】
［４］上記［１］〜［３］のいずれかに記載の医療用針においては、前記基部（２０）に設けられ、前記基部（２０）を中心軸として回動可能に構成された翼部（１７０）をさらに備え、前記翼部（１７０）は、前記第１及び第２伸縮部材（３２，３６）が折り畳まれた状態のときに前記フック部（４０，５０）が係止される被係止部（１７５，１７６）を有し、前記被係止部（１７５，１７６）は、前記翼部（１７０）のうち、前記第１及び第２伸縮部材（３２，３６）が折り畳まれた状態のときにおける、前記フック部（４０，５０）の位置に対応する位置に配置され、かつ、前記翼部（１７０）を回動させることにより前記フック部（４０，５０）との係合状態を解除可能に構成されていることが好ましい。
【００１９】
このように構成することにより、第１及び第２伸縮部材が折り畳まれた状態を維持し続けることが可能となる。例えば、患者の皮膚に湾曲針を穿刺した際に、仮に第１及び第２伸縮部材に対して伸長しようとする力（伸縮部が開こうとする力）が発生した場合であっても、本発明の医療用針によれば、被係止部にフック部を係止することによって、そのような伸長しようとする力を抑制することが可能となる。したがって、本発明の医療用針は、患者の皮膚に安定して穿刺可能な医療用針となる。
【００２０】
また、被係止部が、翼部を回動させることによってフック部との係合状態を解除可能に構成されているため、「翼部を摘まむ」という簡単なアクションで被係止部とフック部との係合状態を解除することが可能となる。
【００２１】
［５］上記［１］〜［３］のいずれかに記載の医療用針においては、前記基部（２０）に設けられた翼部（７０）と、前記伸縮部（３０）が折り畳まれた状態で前記翼部（７０）及び前記板状部材（６０）を押さえるとともに、前記湾曲針（１０）を覆う針カバー部材（８０）とをさらに備え、前記針カバー部材（８０）には、前記第１及び第２伸縮部材（３２，３６）が折り畳まれた状態のときにおける、前記フック部（４０）及び前記押さえ部材（４６）のうち少なくとも一方の位置に対応する位置に、所定のクリアランスが設けられていることが好ましい。
【００２２】
医療用針を使用する前（患者の皮膚に穿刺する前）においては、安全性を確保しつつ、コンパクトな医療用針が求められる。ここで、第１及び第２伸縮部材を折り畳んだ状態とすると、医療用針全体の大きさを小さくすることができる一方、湾曲針（の先端部）を伸縮部によってカバーすることができない。また、第１及び第２伸縮部材を伸ばした状態とすると、湾曲針（の先端部）を第１及び第２伸縮部材によってカバーすることができる一方、医療用針全体の大きさが比較的大きなものとなってしまう。
本発明の医療用針によれば、医療用針を使用する前は、第１及び第２伸縮部材を折り畳んだ状態で針カバー部材内に湾曲針、第１及び第２伸縮部材並びに板状部材などを格納することができるため、第１及び第２伸縮部材を折り畳んだ状態のままで安全性を確保することができる。つまり、本発明の医療用針は、安全性を確保しつつ、コンパクトな医療用針となる。
【００２３】
また、針カバー部材に上記した所定のクリアランスが設けられていることにより、針カバー部材内に湾曲針、第１及び第２伸縮部材並びに板状部材などを格納したときに、フック部や押さえ部材が針カバー部材に引っかかってしまうのを防止することができる。
また、上記のように構成することにより、クリアランスを設けた部分以外の針カバー部材の厚みを薄くできるため、針カバー部材も含めた医療用針全体の小型化に寄与することができる。
【００２４】
なお、特許請求の範囲及び本欄（課題を解決するための手段の欄）に記載した各手段の文言下に括弧をもって付加された符号は、特許請求の範囲及び本欄に記載された内容の理解を容易にするために用いられたものであって、特許請求の範囲及び本欄に記載された内容を限定するものではない。
【発明を実施するための最良の形態】
【００２５】
以下、本発明の医療用針について、図に示す実施の形態に基づいて説明する。
【００２６】
［実施形態１］
図１は、医療用針１の斜視図である。図２は、図１とは異なる方向から見たときの医療用針１の斜視図である。図３は、医療用針１の正面図である。図４は、医療用針１の背面図（医療用針１をチューブ接続部２２側から見た図）である。図５は、医療用針１の側面図である。なお、図１〜図５においては、針カバー部材８０の図示を省略している。
【００２７】
図６は、第１及び第２伸縮部材３２，３６が伸縮する様子を説明するために示す図である。図６（ａ）は第１及び第２伸縮部材３２，３６を最も折り畳んだ状態のときの医療用針１の正面図であり、図６（ｅ）は第１及び第２伸縮部材３２，３６を最も伸長させた状態のときの医療用針１の正面図であり、図６（ｂ）〜図６（ｄ）は図６（ａ）に示す状態から図６（ｅ）に示す状態になるまでの途中経過を示す医療用針１の正面図である。
【００２８】
図７は、フック部４０，５０が切り欠き部４２，５２に係止される様子を説明するために示す図である。なお、図７においては、フック部４０，５０、切り欠き部４２，５２及び押さえ部材４６，５６の部分における、ｙ−ｘ平面での断面を模式的に図示している。
【００２９】
図８は、フック部４０、切り欠き部４２及び押さえ部材４６を説明するために示す図である。図８（ａ）は切り欠き部４２及び押さえ部材４６をｙ方向に沿って見た部分拡大図であり、図８（ｂ）は切り欠き部４２及び押さえ部材４６をｘ方向に沿って見た部分拡大図であり、図８（ｃ）は第１及び第２伸縮部材３２，３６を伸長状態としたときにおける、フック部４０、切り欠き部４２及び押さえ部材４６をｙ方向に沿って見た部分拡大図である。
【００３０】
図９及び図１０は、針カバー部材８０を説明するために示す図である。図９（ａ）は針カバー部材８０の正面図であり、図９（ｂ）は針カバー部材８０の側面図であり、図９（ｃ）は針カバー部材８０の上面図であり、図９（ｄ）は針カバー部材８０の底面図である。図１０（ａ）は針カバー部材８０の斜視図であり、図１０（ｂ）は針カバー部材８０を装着したときの医療用針１の斜視図である。
【００３１】
なお、以下の説明においては、互いに直交する３つの方向をそれぞれｘ方向、ｙ方向、ｚ方向とする。ｘ方向とは「第３方向」のことであり、ｙ方向とは「第２方向」のことであり、ｚ方向とは「第１方向」のことである。ｘ方向は、板状部材６０の長辺方向と同一の方向であり、ｙ方向は、板状部材６０の短辺方向と同一の方向（または、基部２０の長手方向と同一の方向）であり、ｚ方向は、湾曲針１０の湾曲部１４から先端部１６に沿った方向（または、板状部材６０における基部２０側の面に垂直な方向）である。
【００３２】
実施形態１に係る医療用針１は、図１〜図５に示すように、所定角度（例えば９０度）に湾曲した湾曲部１４を有する湾曲針１０と、湾曲針１０の一部が植設された基部２０と、基部２０に設けられ、パンタグラフ状に伸縮可能に構成された伸縮部３０と、伸縮部３０における基部２０とは反対側に接続配置された板状部材６０と、基部２０に設けられた翼部７０と、針カバー部材８０（図９及び図１０参照。）とを備える。
【００３３】
湾曲針１０は、図５に示すように、基端部１２と、例えば９０度に湾曲した湾曲部１４と、患者の皮下に埋め込まれたアクセスポート（後述する図１２参照。）に穿刺される先端部１６とを有する。基端部１２から湾曲部１４までは、ｙ方向に平行な直管状であり、湾曲部１４から先端部１６の手前までは、ｚ方向に平行な直管状である。先端部１６は、コアリング（アクセスポートにおけるセプタムの穴あきや削りカスの発生）防止のために若干屈曲した構成となっている。
【００３４】
基部２０は、湾曲針１０の基端部１２及び湾曲部１４を覆うように構成されている。また、基部２０は、管状のチューブ接続部２２を有し、チューブ接続部２２の部分で図示しないチューブに接続可能に構成されている。
【００３５】
伸縮部３０は、図３及び図４に示すように、湾曲針１０を間にして対向配置された第１伸縮部材３２及び第２伸縮部材３６と、第２伸縮部材３６におけるｙ方向手前側の面に配置されたフック部４０と、第１伸縮部材３２におけるｙ方向手前側の面に配置された切り欠き部４２と、切り欠き部４２の近傍に配置された押さえ部材４６と、第１伸縮部材３２におけるｙ方向奥側の面に配置されたフック部５０と、第２伸縮部材３６におけるｙ方向奥側の面に配置された切り欠き部５２と、切り欠き部５２の近傍に配置された押さえ部材５６とを有する。
【００３６】
第１及び第２伸縮部材３２，３６のそれぞれは、端部が基部２０及び板状部材６０に接続されており、屈曲部３４，３８の部分で略「くの字」状に屈曲可能に構成されている（図３及び図４参照。）。また、第１及び第２伸縮部材３２，３６のそれぞれは、第１及び第２伸縮部材３２，３６の各端部と基部２０及び板状部材６０との接続部分においても、屈曲可能に構成されている。このように構成された第１及び第２伸縮部材３２，３６が湾曲針１０を間にして対向配置されているため、図６（ａ）〜図６（ｅ）に示すように、ｘ方向に沿って広がるように又は狭まるように、パンタグラフ状に伸縮することができる。
また、伸縮部３０は、第１及び第２伸縮部材３２，３６が広がる方向が、後述する板状部材６０の長辺方向と同じ方向となるように配置されている。
【００３７】
第１及び第２伸縮部材３２，３６は、図６（ｅ）から分かるように、第１及び第２伸縮部材３２，３６を最も伸ばしたときのｚ方向に沿った長さが、湾曲針１０の先端部１６から湾曲部１４までの長さ以上となるように構成されている。
【００３８】
フック部４０，５０の先端部は、図１及び図２に示すように、鉤状になっている。第１及び第２伸縮部材３２，３６を伸長状態（図６（ｅ）に示す状態）にすると、図７に示すように、フック部４０は切り欠き部４２に係止され、フック部５０は切り欠き部５２に係止されることとなる。
【００３９】
切り欠き部４２は、図８（ａ）及び図８（ｂ）に示すように、基部２０側に位置する第１開口端４３と、板状部材６０側に位置する第２開口端４４と、第１開口端４３及び第２開口端４４を繋ぐ第３開口端４５とを有する。
【００４０】
押さえ部材４６は、一方端４７が第１開口端４３近傍位置に接続され、他方端４８が第１開口端４３から第２開口端４４方向に向けて伸びるツメ状の押さえ部材である。言い換えれば、ツメ状の押さえ部材４６は、伸縮部３０を伸長させたときにツメの先端（他方端４８）が板状部材６０側に向くように構成されている。押さえ部材４６は、他方端４８と第２開口端４４との間に所定の空間Ｐ（図８（ｂ）参照。）が形成されるように構成されている。
【００４１】
押さえ部材４６は、フック部４０が切り欠き部４２に係止されるときにフック部４０を切り欠き部４２に向けて押さえる機能を有する（図７参照。）。
【００４２】
なお、フック部４０が切り欠き部４２に完全に係止された後においては、押さえ部材４６は、フック部４０と接触していてもよいし、フック部４０と接触していなくてもよい。つまり、フック部４０が切り欠き部４２に完全に係止された後においては、押さえ部材４６は、必ずしもフック部４０を切り欠き部４２に向けて押さえていなくてもよい。
【００４３】
切り欠き部５２及び押さえ部材５６は、上記の切り欠き部４２及び押さえ部材４６と同様の構成及び機能を有するため、詳細な説明は省略する。
【００４４】
板状部材６０は、図１及び図２に示すように、略長方形状の板状部材であり、長方形の四隅の角は丸め処理が施されている。板状部材６０は、その長辺がｘ方向に沿い、短辺がｙ方向に沿うように配置されている。板状部材６０は、略中央部に形成され、湾曲針１０を通過させる通過部６２を有する。通過部６２は、スリット状（切れ込み状）の通過部である。
【００４５】
翼部７０は、図１〜図４に示すように、基部２０の側方に接続配置された一対の翼部材であって、略矩形状の把持部７２，７４と、基部２０と各把持部７２，７４との間に配置され、把持部７２，７４の厚みよりも薄く形成された薄肉部７７，７８とを有する。把持部７２，７４は、基部２０と薄肉部７７，７８との接続部分を軸として所定角度回動可能に構成されている（後述する図１１（ａ１）〜図１１（ｃ１）及び図１１（ａ２）〜図１１（ｃ２）参照。）。薄肉部７７，７８の厚みが把持部７２，７４の厚みよりも薄いことから、翼部７０を把持する際に、基部２０と薄肉部７７，７８とが干渉してしまうのを抑制することができ、結果として、翼部７０を把持しやすくなる。また、薄肉部７７，７８の厚みが把持部７２，７４の厚みよりも薄いことから、把持部７２，７４を回動させやすいという効果もある。
【００４６】
基部２０、伸縮部３０、板状部材６０及び翼部７０は、同一のプラスチック材料（例えば、ポリエチレン、ポリプロピレンなど。）からなり、射出成形することによって形成されている。
【００４７】
針カバー部材８０は、図９及び図１０に示すように、所定の厚みを残して中身がくり抜かれた、正面視略Ｔ字状の部材である。針カバー部材８０は、伸縮部３０を折り畳んだ状態で翼部７０、伸縮部３０及び板状部材６０を格納可能な第１格納部８２と、伸縮部３０を折り畳んだ状態で湾曲針１０（の先端部１６）を格納可能な第２格納部８４とを有する。第１格納部８２の上面には、基部２０の位置に対応して切り欠き８３が設けられている。伸縮部３０を折り畳んだ状態とすると、図１０（ｂ）から分かるように、翼部７０、伸縮部３０及び板状部材６０が第１格納部８２に格納され、湾曲針１０（の先端部１６）が第２格納部８４に格納される。
【００４８】
また、針カバー部材８０には、第１及び第２伸縮部材３２，３６が折り畳まれた状態（図６（ａ）に示す状態）のときにおける、フック部４０の位置に対応する位置に凸部８６が設けられており、フック部５０の位置に対応する位置に平面視コの字形状の溝部８７が設けられており、押さえ部材４６の位置に対応する位置に略四角形状の穴部８８が設けられている。これら凸部８６、溝部８７及び穴部８８によって、針カバー部材８０とフック部４０，５０及び押さえ部材４６との間に所定のクリアランスが設けられることとなる（図１０（ｂ）参照。）。
【００４９】
第１格納部８２は、図９（ａ）に示すように、凸部８６を設けた部分以外のｚ方向に沿った厚みＴ１が、凸部８６を設けた部分のｚ方向に沿った厚みＴ２よりも薄くなるように構成されている。
【００５０】
実施形態１に係る医療用針１について、図１１〜図１３を用いてさらに詳細に説明する。
図１１〜図１３は、医療用針１を説明するために示す図である。図１１（ａ１）〜図１１（ｅ１）は医療用針１を使用したときの各状態を示す正面図であり、図１１（ａ２）〜図１１（ｅ２）は図１１（ａ１）〜図１１（ｅ１）に示す状態のときの斜視図である。図１２（ａ）は医療用針１を患者の皮膚Ｓに穿刺したときの様子を模式的に示す図であり、図１２（ｂ）は医療用針１を患者の皮膚Ｓから抜いたときの様子を模式的に示す図である。なお、図１２（ａ）及び図１２（ｂ）においては、アクセスポートＡＰに対する医療用針１の大きさや、患者の皮膚ＳからアクセスポートＡＰまでの深さ（距離）などは誇張して図示している。図１３（ａ）は第１及び第２伸縮部材３２，３６が伸長状態のときに基部２０の上方（ｚ方向に沿った方向）から力が加わった場合の、医療用針１の正面図であり、図１３（ｂ）は図１３（ａ）の符号Ａで示す部分の拡大図である。なお、図１３（ｂ）においては、図面を分かりやすくするために、フック部４０に斜線を付して図示している。
【００５１】
医療用針１を使用する際には、まず、針カバー部材８０が装着された状態の医療用針１（図１０（ｂ）参照。）から、針カバー部材８０を取り外す。
次に、翼部７０の把持部７２，７４を把持し、把持部７２，７４が接触するまで翼部７０を回動させる（図１１（ａ１）〜図１１（ｃ１）及び図１１（ａ２）〜図１１（ｃ２）参照。）。
そして、把持部７２，７４を把持した状態で、患者の皮膚Ｓの下に埋め込まれたアクセスポートＡＰの所定部位に湾曲針１０を穿刺する（図１２（ａ）参照。）。穿刺後は、必要に応じて、把持部７２，７４を広げて把持部７２，７４の上からテープ止めを行う。
【００５２】
患者の皮膚Ｓ（アクセスポートＡＰ）から湾曲針１０を抜くときは、テープ止めを行った場合はテープを剥がして、板状部材６０を押さえながら把持部７２，７４を摘まみ上げ、患者の皮膚Ｓから湾曲針１０を引き抜く（図１１（ｄ１）、図１１（ｅ１）、図１１（ｄ２）、図１１（ｅ２）及び図１２（ｂ）参照。）。この湾曲針１０の引き抜き動作とともに、または当該引き抜き動作の直後に、切り欠き部４２，５２にフック部４０，５０を係止させる（図８（ｃ）参照。）。
【００５３】
なお、患者の皮膚Ｓ（アクセスポートＡＰ）から湾曲針１０を抜く方法としては、上述の方法に限定されない。図示による説明は省略するが、各把持部７２，７４を第１及び第２伸縮部材３２，３６に沿わせる（板状部材６０側に垂らす）ようにして、第１及び第２伸縮部材３２，３６と把持部７２，７４とを一緒に摘まみ上げてもよい。
【００５４】
実施形態１に係る医療用針１によれば、上記したフック部４０，５０及び切り欠き部４２，５２を備えているため、第１及び第２伸縮部材３２，３６を伸長状態にして切り欠き部４２，５２にフック部４０，５０を係止することにより、第１及び第２伸縮部材３２，３６の伸長状態を維持し続けることが可能となる。
したがって、実施形態１に係る医療用針１は、患者の皮膚から湾曲針を抜いた後において、伸縮部（第１及び第２伸縮部材）を伸長状態のまま維持し続けることが可能な医療用針となる。
【００５５】
また、実施形態１に係る医療用針１によれば、上記した押さえ部材４６，５６を備えているため、フック部４０と切り欠き部４２との係合力（及びフック部５０と切り欠き部５２との係合力）をさらに高めることが可能となる。このため、第１及び第２伸縮部材３２，３６の伸長状態を、より強い係合力でもって維持し続けることが可能となる。
【００５６】
また、実施形態１に係る医療用針１によれば、フック部４０，５０と切り欠き部４２，５２と押さえ部材４６，５６とによる比較的簡易な部材で構成されているため、製造コストがそれほど高くなることもない。
【００５７】
また、実施形態１に係る医療用針１によれば、第１及び第２伸縮部材３２，３６を最も伸ばしたときのｚ方向に沿った長さが、湾曲針１０の先端部１６から湾曲部１４までの長さ以上となるように構成されているため、患者の皮膚（アクセスポート）から湾曲針１０を抜いたときに、湾曲針１０（の先端部１６）を伸縮部３０によってカバーすることができる（図１２（ｂ）参照。）。このため、使用者による誤刺の発生を防止することができる。
【００５８】
実施形態１に係る医療用針１においては、押さえ部材４６（及び押さえ部材５６）は、他方端４８が第１開口端４３から第２開口端４４方向に向けて伸びるツメ状の押さえ部材であって、他方端４８と第２開口端４４との間に所定の空間Ｐが形成されるように構成されているため、当該空間が形成されない場合（すなわち、押さえ部材の両端が切り欠き部４２の開口端近傍位置と接続されている場合）と比べて、スムーズにフック部４０，５０を切り欠き部４２，５２に係合させることが可能となる。
【００５９】
実施形態１に係る医療用針１においては、図１３（ａ）に示すように、第１及び第２伸縮部材３２，３６が伸長状態のときに基部２０の上方（ｚ方向に沿った方向）から力が加わった場合、図１３（ｂ）に示すように、フック部４０の端面が第１開口端４３とぶつかるため、フック部４０が切り欠き部４２から外れ難くなる。図示による説明は省略するが、フック部５０についても同様に、フック部５０の端面が切り欠き部５２の第１開口端とぶつかるため、フック部５０が切り欠き部５２から外れ難くなる。さらに、ツメ状の押さえ部材４６，５６の他方端が、第１開口端から第２開口端方向に向けて伸びるように構成されていることから、フック部４０，５０が切り欠き部４２，５２から外れようとするのをさらに抑制することが可能となる。その結果、第１及び第２伸縮部材３２，３６の伸長状態を、さらに強い係合力でもって維持し続けることが可能となる。
【００６０】
実施形態１に係る医療用針１においては、フック部４０，５０、切り欠き部４２，５２及び押さえ部材４６，５６のそれぞれは、第１及び第２伸縮部材３２，３６におけるｙ方向手前側の面及びｙ方向奥側の面の両面に配置されている。これにより、第１及び第２伸縮部材３２，３６におけるｙ方向手前側及び奥側の両方からフック部４０，５０と切り欠き部４２，５２とで係合させ、かつ、押さえ部材４６，５６で係合力を高めていることから、第１及び第２伸縮部材３２，３６の伸長状態を、さらに強い係合力でもって維持し続けることが可能となる。
【００６１】
実施形態１に係る医療用針１においては、上記した翼部７０をさらに備えるため、翼部７０を把持して湾曲針１０の抜き差しを容易に行うことが可能となる。
【００６２】
実施形態１に係る医療用針１においては、上記した針カバー部材８０をさらに備えるため、医療用針１を使用する前は、伸縮部３０を折り畳んだ状態で針カバー部材８０内に湾曲針１０、伸縮部３０及び板状部材６０などを格納することができる。このため、伸縮部３０を折り畳んだ状態のままで安全性を確保することができる。つまり、実施形態１に係る医療用針１は、安全性を確保しつつ、コンパクトな医療用針となる。
【００６３】
実施形態１に係る医療用針１においては、針カバー部材８０には、上記した凸部８６、溝部８７及び穴部８８が形成されている。すなわち、針カバー部材８０とフック部４０，５０及び押さえ部材４６との間に所定のクリアランスが設けられているため、針カバー部材８０内に湾曲針１０、第１及び第２伸縮部材３２，３６並びに板状部材６０などを格納したときに、フック部４０，５０や押さえ部材４６が針カバー部材８０に引っかかってしまうのを防止することができる。
また、上述したように、凸部８６を設けた部分以外の針カバー部材８０の厚みを薄くできるため（図９（ａ）に示すように「Ｔ１＜Ｔ２）」に設定されているため）、針カバー部材８０も含めた医療用針１全体の小型化に寄与することができる。
【００６４】
［実施形態２］
図１４は、実施形態２に係る医療用針２を説明するために示す図である。図１４（ａ）は医療用針２の正面図であり、図１４（ｂ）は図１４（ａ）のＡ−Ａ断面図である。なお、図１４においては、針カバー部材８０の図示を省略している。また、図１４において、図１〜図５と同一の部材については同一の符号を付し、詳細な説明は省略する。
【００６５】
実施形態２に係る医療用針２は、基本的には実施形態１に係る医療用針１と良く似た構成を有するが、翼部の構成が実施形態１に係る医療用針１とは異なる。
【００６６】
すなわち、実施形態２に係る医療用針２においては、図１４に示すように、翼部として、被係止部１７５，１７６（被係止部１７６のみ図１４（ａ）及び図１４（ｂ）に図示。）を有する翼部１７０を備えている。
【００６７】
翼部１７０は、略矩形状の把持部１７２，１７４と、基部２０と各把持部１７２．１７４との間に配置され、把持部１７２，１７４の厚みよりも薄く形成された薄肉部１７７，１７８と、各把持部１７２，１７４の端面の一部に配置された被係止部１７５，１７６とを有する。把持部１７２，１７４及び薄肉部１７７，１７８は、実施形態１で説明した把持部７２，７４及び薄肉部７７，７８と同様の構成であるため、詳細な説明は省略する。
【００６８】
被係止部１７５，１７６は、第１及び第２伸縮部材３２，３６が折り畳まれた状態のときにおける、フック部４０，５０の位置に対応する位置に配置されている。また、被係止部１７５，１７６は、第１及び第２伸縮部材３２，３６が折り畳まれた状態のときにフック部４０，５０が係止される機能と、翼部７０（把持部１７２，１７４）を回動させたときにフック部４０，５０との係合状態が解除される機能とを有する。
【００６９】
このように、実施形態２に係る医療用針２は、実施形態１に係る医療用針１とは翼部の構成が異なるが、実施形態１に係る医療用針１の場合と同様に、上記したフック部４０，５０及び切り欠き部４２，５２を備えているため、第１及び第２伸縮部材３２，３６を伸長状態にして切り欠き部４２，５２にフック部４０，５０を係止することにより、第１及び第２伸縮部材３２，３６の伸長状態を維持し続けることが可能となる。
したがって、実施形態２に係る医療用針２は、患者の皮膚から湾曲針を抜いた後において、伸縮部（第１及び第２伸縮部材）を伸長状態のまま維持し続けることが可能な医療用針となる。
【００７０】
実施形態２に係る医療用針２においては、上記した被係止部１７５，１７６を有する翼部１７０を備えているため、第１及び第２伸縮部材３２，３６が折り畳まれた状態を維持し続けることが可能となる。例えば、患者の皮膚に湾曲針１０を穿刺した際に、仮に第１及び第２伸縮部材３２，３６に対して伸長しようとする力（伸縮部が開こうとする力）が発生した場合であっても、実施形態２に係る医療用針２によれば、被係止部１７５，１７６にフック部４０，５０を係止することによって、そのような伸長しようとする力を抑制することが可能となる。したがって、実施形態２に係る医療用針２は、患者の皮膚に安定して穿刺可能な医療用針となる。
【００７１】
また、被係止部１７５，１７６が、翼部１７０を回動させることによってフック部４０，５０との係合状態を解除可能に構成されているため、「翼部１７０を摘まむ」という簡単なアクションで被係止部１７５，１７６とフック部４０，５０との係合状態を解除することが可能となる。
【００７２】
実施形態２に係る医療用針２は、翼部の構成が異なる点以外では、実施形態１に係る医療用針１と同様の構成を有するため、実施形態１に係る医療用針１が有する効果のうち該当する効果をそのまま有する。
【００７３】
以上、本発明の医療用針を上記の各実施形態に基づいて説明したが、本発明は上記の各実施形態に限定されるものではなく、その要旨を逸脱しない範囲において種々の態様において実施することが可能であり、例えば次のような変形も可能である。
【００７４】
（１）上記各実施形態においては、ツメ状の押さえ部材４６，５６が、伸縮部３０を伸長させたときにツメの先端が板状部材６０側に向くように構成されている場合を例示して説明したが、本発明はこれに限定されるものではなく、伸縮部３０を伸長させたときにツメの先端が基部２０側に向くように構成されていてもよい。また、上記各実施形態においては、押さえ部材として、他方端４８が切り欠き部４２の第２開口端４４に接続されていない、いわゆるツメ状の押さえ部材を例示して説明したが、本発明はこれに限定されるものではなく、押さえ部材の両端が切り欠き部の第１又は第２開口端近傍位置に接続された構成からなる押さえ部材であってもよい。
【００７５】
（２）上記各実施形態においては、切り欠き部４２，５２の切り欠き形状が、図１及び図８（ｂ）から分かるように、略コの字形状である場合を例示して説明したが、本発明はこれに限定されるものではない。例えば、Ｕ字状や台形状など、フック部が係止可能な形状であれば、どのような切り欠き形状であってもよい。また、フック部の形状についても、切り欠き部の切り欠き形状に応じて適宜変更することが可能である。
【００７６】
（３）上記各実施形態においては、第１伸縮部材３２におけるｙ方向手前側の面に切り欠き部４２及び押さえ部材４６が配置され、第２伸縮部材３６におけるｙ方向手前側の面にフック部４０が配置され、第１伸縮部材３２におけるｙ方向奥側の面にフック部５０が配置され、第２伸縮部材３６におけるｙ方向奥側の面に切り欠き部５２及び押さえ部材５６が配置された場合を例示して説明したが、本発明はこれに限定されるものではない。例えば、第１伸縮部材３２におけるｙ方向手前側の面及び奥側の面の両方に切り欠き部及び押さえ部材が配置され、第２伸縮部材３６におけるｙ方向手前側の面及び奥側の面の両方にフック部が配置されていてもよい。
【００７７】
（４）上記各実施形態においては、第１及び第２伸縮部材３２，３６における屈曲部３４，３８よりも板状部材６０に近い位置に、フック部４０，５０、切り欠き部４２，５２及び押さえ部材４６，５６が配置されている場合を例示して説明したが、本発明はこれに限定されるものではない。例えば、第１及び第２伸縮部材３２，３６における屈曲部３４，３８近傍位置又は屈曲部３４，３８よりも基部２０に近い位置に、フック部、切り欠き部及び押さえ部材がそれぞれ配置されていてもよい。
【００７８】
（５）上記各実施形態においては、第１及び第２伸縮部材３２，３６におけるｙ方向手前側の面及び奥側の面の両方に、フック部、切り欠き部及び押さえ部材が１組ずつ配置されている場合を例示して説明したが、本発明はこれに限定されるものではない。例えば、第１及び第２伸縮部材３２，３６におけるｙ方向手前側の面及び奥側の面のいずれか一方にのみ、フック部、切り欠き部及び押さえ部材が１組配置されていてもよいし、第１及び第２伸縮部材３２，３６におけるｙ方向手前側の面及び奥側の面のいずれか一方にのみ、フック部、切り欠き部及び押さえ部材が複数組配置されていてもよいし、第１及び第２伸縮部材３２，３６におけるｙ方向手前側の面及び奥側の面の両方に、フック部、切り欠き部及び押さえ部材が複数組配置されていてもよい。
【００７９】
（６）上記各実施形態においては、針カバー部材とフック部４０，５０及び押さえ部材４６との間に所定のクリアランスを設けるために、凸部８６、溝部８７及び穴部８８が設けられた針カバー部材８０を例示して説明したが、本発明はこれに限定されるものではない。針カバー部材とフック部４０，５０及び押さえ部材４６との間に所定のクリアランスを設けることが可能であれば、他の形状・構成からなる針カバー部材を用いてもよい。また、凸部８６、溝部８７及び穴部８８についても、上記した形状に限定されるものではない。
【００８０】
（７）上記実施形態２においては、図１４から分かるように、把持部１７２，１７４の端面の一部に被係止部１７５，１７６が設けられている場合を例示して説明したが、本発明はこれに限定されるものではない。例えば、把持部１７２，１７４の端面全体に被係止部が設けられていてもよい。
【００８１】
（８）上記各実施形態においては、板状部材が略長方形状である場合を例示して説明したが、本発明はこれに限定されるものではない。例えば、楕円形状や丸形状の板状部材であってもよいし、三角形状や正方形状の板状部材であってもよいし、５角形以上の多角形状の板状部材であってもよい。
【００８２】
（９）上記各実施形態においては、板状部材６０に形成される通過部６２が、スリット状（切れ込み状）のものである場合を例示して説明したが、本発明はこれに限定されるものではない。通過部としては、例えば、湾曲針１０が通過する位置（板状部材の略中央部）に形成された穴（丸穴や角穴）であってもよい。
【００８３】
（１０）上記各実施形態においては、基部２０、伸縮部３０、板状部材６０及び翼部７０，１７０が一体成形されている場合を例示して説明したが、本発明はこれに限定されるものではない。例えば、これら各部材を個別に作成した後、各部材を接合してもよい。
【００８４】
（１１）上記各実施形態においては、基部２０、伸縮部３０、板状部材６０及び翼部７０，１７０が同一のプラスチック材料（例えば、ポリエチレン、ポリプロピレンなど。）からなる場合を例示して説明したが、本発明はこれに限定されるものではない。例えば、部材ごとで異なるプラスチック材料を用いてもよいし、プラスチック材料以外の材料でこれら部材を形成してもよい。
【００８５】
（１２）上記各実施形態においては、湾曲針１０の湾曲部１４が９０度湾曲している場合を例示して説明したが、本発明はこれに限定されるものではない。９０度未満又は９０度を超える角度で湾曲した湾曲針を備える医療用針についても本発明を適用可能である。
【００８６】
（１３）上記各実施形態においては、翼部７０，１７０が、基部２０の側方に接続配置された一対の翼部材である場合を例示して説明したが、本発明はこれに限定されるものではなく、例えば、基部２０の上方に１つの翼部材がｚ方向に沿って伸びるように配置されていてもよい。また、上記各実施形態においては、略矩形状の把持部７２，７４，１７２，１７４を有する翼部７０，１７０を例示して説明したが、本発明はこれに限定されるものではなく、略矩形状とは異なる形状（例えば丸形状など）の把持部を有する翼部であってもよい。
【００８７】
（１４）上記各実施形態においては、伸縮部３０を折り畳んだときに第１及び第２伸縮部材３２，３６の広がる方向と板状部材６０の長辺方向とが同じｘ方向で揃えられ、翼部７０，１７０の把持部７２，７４，１７２，１７４がｘ方向に伸びる場合を例示して説明したが、本発明はこれに限定されるものではない。例えば、第１及び第２伸縮部材の広がる方向と板状部材の長辺方向とが同じｘ方向で揃えられ、翼部の把持部がｙ方向に伸びるように構成されていてもよい。または、第１及び第２伸縮部材の広がる方向と板状部材の長辺方向とが同じｙ方向で揃えられ、翼部の把持部がｙ方向に伸びるように構成されていてもよい。
なお、後者の場合、すなわち、第１及び第２伸縮部材の広がる方向と、板状部材の長辺方向と、翼部の把持部が伸びる方向とが、基部２０の長手方向であるｙ方向と同じ向きに揃えられているときには、医療用針全体のｘ方向の幅を比較的小さくすることができるため、例えば、医療用針を２つ以上並べて配置したいときに、各医療用針と繋がる各チューブの導出方向を一方向に揃えた状態で医療用針を配置することが可能となる。
【００８８】
（１５）上記各実施形態においては、基部として、チューブ接続部２２を有する基部２０を例示して説明したが、本発明はこれに限定されるものではなく、例えば、チューブ接続部が省略された基部（チューブ接続部を有しない基部）を備えていてもよい。この場合は、例えば、湾曲針１０の基端部１２を基部から露出させ、基端部１２とチューブとを直接接続すればよい。
【図面の簡単な説明】
【００８９】
【図１】医療用針１の斜視図。
【図２】図１とは異なる方向から見たときの医療用針１の斜視図。
【図３】医療用針１の正面図。
【図４】医療用針１の背面図。
【図５】医療用針１の側面図。
【図６】第１及び第２伸縮部材３２，３６が伸縮する様子を説明するために示す図。
【図７】フック部４０，５０が切り欠き部４２，５２に係止される様子を説明するために示す図。
【図８】フック部４０、切り欠き部４２及び押さえ部材４６を説明するために示す図。
【図９】針カバー部材８０を説明するために示す図。
【図１０】針カバー部材８０を説明するために示す図。
【図１１】医療用針１を説明するために示す図。
【図１２】医療用針１を説明するために示す図。
【図１３】医療用針１を説明するために示す図。
【図１４】実施形態２に係る医療用針２を説明するために示す図。
【符号の説明】
【００９０】
１，２  医療用針
１０  湾曲針
１２  湾曲針の基端部
１４  湾曲部
１６  湾曲針の先端部
２０  基部
２２  チューブ接続部
３０  伸縮部
３２  第１伸縮部材
３４，３８  屈曲部
３６  第２伸縮部材
４０，５０  フック部
４２，５２  切り欠き部
４３  第１開口端
４４  第２開口端
４５  第３開口端
４６，５６  押さえ部材
４７  （押さえ部材の）一方端
４８  （押さえ部材の）他方端
６０  板状部材
６２  通過部
７０，１７０  翼部
７２，７４，１７２，１７４  把持部
７７，７８，１７７，１７８  薄肉部
８０  針カバー部材
８２  第１格納部
８３  （第１格納部の）切り欠き
８４  第２格納部
８６  凸部
８７  溝部
８８  穴部
１７５，１７６  被係止部
ＡＰ  アクセスポート
Ｓ  患者の皮膚
Ｔ１  凸部を設けた部分以外のｚ方向に沿った厚み
Ｔ２  凸部を設けた部分のｚ方向に沿った厚み
【図１】
2010125173.tif 000003
【図２】
2010125173.tif 000004
【図３】
2010125173.tif 000005
【図４】
2010125173.tif 000006
【図５】
2010125173.tif 000007
【図６】
2010125173.tif 000008
【図７】
2010125173.tif 000009
【図８】
2010125173.tif 000010
【図９】
2010125173.tif 000011
【図１０】
2010125173.tif 000012
【図１１】
2010125173.tif 000013
【図１２】
2010125173.tif 000014
【図１３】
2010125173.tif 000015
【図１４】
2010125173.tif 000016